(57)【要約】      （修正有）【課題】先端に掘削ヘッドを有する複数本の掘削軸を下方に向けて駆動機構に連結した多軸掘削機に使用する掘削軸であり、掘削軸は連続するスクリュー羽根を有する場合において、円筒体ガイドによる曲がり防止装置をスクリュー羽根の途中に、しかも、クリュー羽根の旋回による掘削・攪拌作用を阻害することなく設けることができる多軸掘削機の掘削軸の曲り防止装置を提供する。【解決手段】先端に掘削ヘッドを有する複数本の掘削軸を下方に向けて駆動機構に連結した多軸掘削機に使用する掘削軸であり、掘削軸５は連続するスクリュー羽根２３を有し、掘削軸５の途中に曲がり防止装置１７としての円筒体ガイド１６を設けるのに、円筒体ガイド１６は連続するスクリュー羽根２３の半旋回ピッチ分の高さ幅であり、円筒体ガイド１６の内周面にスクリュー羽根２３の外周縁を溶接し、円筒体ガイド１６の内方で、スクリュー羽根２３が位置しない部分は上下方向に抜ける空間２５である。【選択図】図１
0003199765.tif 000002
【実用新案登録請求の範囲】
【請求項１】
先端に掘削ヘッドを有する複数本の掘削軸を下方に向けて駆動機構に連結した多軸掘削機に使用する掘削軸であり、掘削軸は連続するスクリュー羽根を有し、掘削軸の途中に曲がり防止装置としての円筒体ガイドを設けるのに、円筒体ガイドは連続するスクリュー羽根の半旋回ピッチ分の高さ幅であり、円筒体ガイドの内周面にスクリュー羽根外周縁を溶接し、円筒体ガイドの内方で、スクリュー羽根が位置しない部分は上下方向に抜ける空間であることを特徴とした多軸掘削機の掘削軸の曲り防止装置。
【請求項２】
上下方向に抜ける空間には円筒体ガイドの支持アームとして撹拌翼を設ける請求項１記載の多軸掘削機の掘削軸の曲り防止装置。
【請求項３】
撹拌翼はスクリュー羽根の上昇旋回方向と同じ向きの傾きの板体である請求項１または請求項２記載の多軸掘削機の掘削軸の曲り防止装置。
【考案の詳細な説明】
【技術分野】
【０００１】
本考案は、ソイル柱列壁を施工する多軸掘削機の掘削軸の曲り防止装置の改良に関するものである。
【背景技術】
【０００２】
出願人は先に下記特許文献にあるような曲がり防止装置を提案した。
【特許文献１】実用新案登録第３１９５８４０号公報
【０００３】
図３に示すように、多軸掘削機に使用する掘削軸５として、上下に間隔を存して設けるスクリュー羽根５ｂ（スパイラルスクリュー）と、放射状に突出する水平またはほぼ水平な平板翼による攪拌羽根５ｃを攪拌翼兼剪断翼として適宜上下間隔で設けている。
【０００４】
外側に位置する掘削軸５に前記スクリュー羽根５ｂ（スパイラルスクリュー）と水平羽根による攪拌羽根５ｃを設け、中に位置する掘削軸５には攪拌羽根５ｃのみを複数段（図示では４段）設けた。
【０００５】
外側に位置する掘削軸５の２本に、上段のスクリュー羽根５ｂの直下に掘削軸５を中心軸として上下に抜ける円筒体ガイド１６で囲繞した曲がり防止装置１７を設けた。
【０００６】
該円筒体ガイド１６は掘削軸５から放射状にでるスポーク的な支持体で支持されその上下を覆う。一例としてこの支持体は前記水平翼による攪拌羽根５ｃと同じような攪拌羽根１８とした。
【０００７】
掘削軸５は上下端にカップラー雌継手２０、カップラー雄継手２１を形成してあり、上端は油圧モータおよび減速機からなる駆動機構の駆動軸に、下端は掘削ヘッドに接続する。
【０００８】
図中２２は軸受けカラーであり、この部分で結束バンドに収まる。
【０００９】
掘削軸５は図４、図５に示すようなソイル柱列壁を原位置土混合工法（ＳＭＷ工法）で施工する場合に使用する多軸掘削機のものであり、油圧モータおよび減速機からなる駆動機構４に掘削軸５を下方に向けて連結してなり、かつ、この掘削軸５は複数本（図示では５本）並列させ、ロッドを振れ止めのための結束バンド９で結束した。
【００１０】
該掘削軸５は先端に掘削ヘッド５ａを設け、また、途中に断続するスクリュー羽根５ｂによる攪拌翼兼用の掘削翼を設けたものである。また、図示は省略するが、この掘削軸５は中空軸で内部にセメントミルク等の固結液を流通させ、これを掘削ヘッド５ａの吐出口より注出できる。
【００１１】
前記駆動機構４は、掘削軸５を連結した状態で、クローラ等のベースマシン１に起立するリーダーマスト２のトップシーブ３からワイヤーで吊り支する。さらに、駆動機構４は背面に設けた湾曲ブラケット６をリーダーマスト２に沿設したリーダー７に係合させる。図４、図５中８はリーダーマスト２の下端に設けた首かせ状の振れ止めで、掘削軸５が上下に貫通する。
【００１２】
前記駆動機構４は、掘削軸５を連結した状態で、クローラ等のベースマシン１に起立するリーダーマスト２のトップシーブ３からワイヤーで吊り支する。さらに、駆動機構４は背面に設けた湾曲ブラケット６をリーダーマスト２に沿設したリーダー７に係合させる。図中８はリーダーマスト２の下端に設けた首かせ状の振れ止めで、掘削軸５が上下に貫通する。
【００１３】
駆動機構４により掘削軸５を回転駆動し、掘削ヘッド５ａで錐揉み状に掘削を行うが、かかる掘削時に掘削ヘッド５ａよりセメントミルク等の固結液を吐出させて、土中において原位置土と混合して先行エレメントのソイルセメント壁体を造成する。
【００１４】
掘削時には、複数本の掘削軸５が同時に回転し、円筒体ガイド１６の周壁が掘削孔の孔壁面に摺接しながら進行するので曲がりが阻止される。
【００１５】
各掘削軸５は隣接するものが相互に逆回転するが、円筒体ガイド１６で囲繞した曲がり防止装置１７により掘削軸５が曲がりなく進行することにより、複数本の掘削軸５の全体が回ることもなくなる。
【考案の概要】
【考案が解決しようとする課題】
【００１６】
前記特許文献１は、掘削軸５はスクリュー羽根５ｂと攪拌羽根５ｃを設けたものであり、しかも、スクリュー羽根５ｂは断続するものとして１旋回ピッチ程度のものである。
【００１７】
そして、曲がり防止装置１７は上段のスクリュー羽根５ｂの直下に設けるもので、これによりスクリュー羽根５ｂ、いわゆるスパイラルスクリューが発生させる掘削軸５の曲りを効果的に防止することを期待した。
【００１８】
しかし、特許文献１は図４、図５に示すようにスクリュー羽根５ｂが断続ではなく、連続するものである場合、曲がり防止装置１７をその途中に設けることの工夫はなされていない。
【００１９】
本考案の目的は前記従来例の不都合を解消し、先端に掘削ヘッドを有する複数本の掘削軸を下方に向けて駆動機構に連結した多軸掘削機に使用する掘削軸であり、掘削軸は連続するスクリュー羽根を有する場合において、円筒体ガイドによる曲がり防止装置をスクリュー羽根の途中に、しかも、スクリュー羽根の旋回による掘削・攪拌作用を阻害することなく設けることができる多軸掘削機の掘削軸の曲がり防止装置を提供することにある。
【課題を解決するための手段】
【００２０】
前記目的を達成するため請求項１記載の本考案は、先端に掘削ヘッドを有する複数本の掘削軸を下方に向けて駆動機構に連結した多軸掘削機に使用する掘削軸であり、掘削軸は連続するスクリュー羽根を有し、掘削軸の途中に曲がり防止装置としての円筒体ガイドを設けるのに、円筒体ガイドは連続するスクリュー羽根の半旋回ピッチ分の高さ幅であり、円筒体ガイドの内周面にスクリュー羽根外周縁を溶接し、円筒体ガイドの内方で、スクリュー羽根が位置しない部分は上下方向に抜ける空間であることを要旨とするものである。
【００２１】
請求項１記載の本考案によれば、円筒体ガイドはその内周面にスクリュー羽根外周縁を溶接することで、連続するスクリュー羽根の途中に設けることができ、しかも円筒体ガイド内方のスクリュー羽根がない部分は上下方向に抜ける空間であるので、円筒体ガイドはその内側で掘削した土砂を上昇させることができ、この円筒体ガイド自体が撹拌作用を行わせることができ、さらに、円筒体ガイドは掘削軸が垂直に掘削できるようにガイドし、各掘削軸の曲りが円筒体ガイドで拘束され、掘削する場合に多軸全体が回転により捩れることを防止できる。
【００２２】
しかも、曲がり防止装置は連続するスクリュー羽根の途中に設けるので、スクリュー羽根、いわゆるスパイラルスクリューが発生させる掘削軸の曲りを効果的に防止することができる。
【００２３】
請求項２記載の本考案は、上下方向に抜ける空間には円筒体ガイドの支持アームとして撹拌翼を設けることを要旨とするものである。
【００２４】
請求項２記載の本考案によれば、円筒体ガイドはスクリュー羽根で支えられるだけでなく、支持アームによっても支えられるので、安定して掘削軸に設けられる。しかも、この支持アームが上下方向に抜ける空間を塞いでしまうことがないので、円筒体ガイドの掘削軸に対する垂直に掘削できるようにガイドすることを確保できる。
【００２５】
また、支持アームとして撹拌翼は円筒体ガイドの内側で上昇する掘削した土砂を攪拌することができる。
【００２６】
請求項３記載の本考案は、撹拌翼はスクリュー羽根の上昇旋回方向と同じ向きの傾きの板体であることを要旨とするものである。
【００２７】
請求項３記載の本考案によれば、撹拌翼はスクリュー羽根の上昇旋回方向と同じ向きの傾きの板体とすることで、スクリュー羽根に沿って上昇する掘削した土砂をこの撹拌翼が大きな抵抗とならずに、うまく流すことができる。
【考案の効果】
【００２８】
以上述べたように本考案の多軸掘削機の掘削軸の曲がり防止装置は、先端に掘削ヘッドを有する複数本の掘削軸を下方に向けて駆動機構に連結した多軸掘削機に使用する掘削軸であり、掘削軸は連続するスクリュー羽根を有する場合において、円筒体ガイドによる曲がり防止装置をスクリュー羽根の途中に、しかも、スクリュー羽根の旋回による掘削・攪拌作用を阻害することなく設けることができるものである。
【考案を実施するための形態】
【００２９】
以下、図面について本考案の実施の形態を詳細に説明する。図１は本考案の曲がり防止装置を設けた多軸掘削機の掘削軸の正面図、図２は本考案の要部の曲がり防止装置の１実施形態を示す斜視図で、前記従来例を示す図３と同一構成要素には同一参照符号を付したものである。
【００３０】
本考案の曲がり防止装置を設けた掘削軸を使用する多軸掘削機は、前記図４、図５で説明したように、油圧モータおよび減速機からなる駆動機構に掘削軸５を下方に向けて連結してなるものである。
【００３１】
掘削軸５は複数本（図示では３本または５本）並列させ、ロッドを振れ止めのための結束バンド９で結束する。
【００３２】
該掘削軸５は先端に掘削ヘッド５ａを設け、図示は省略するが、この掘削軸５は中空軸で内部にセメントミルク等の固結液を流通させ、これを掘削ヘッド５ａの吐出口より注出できる。
【００３３】
前記駆動機構は、掘削軸５を連結した状態で、クローラ等のベースマシン１に起立するリーダーマスト２のトップシーブ３からワイヤーで吊り支する。さらに、駆動機構４は背面に設けた湾曲ブラケット６をリーダーマスト２に沿設したリーダー７に係合させる。
【００３４】
駆動機構により掘削軸５を回転駆動し、掘削ヘッド５ａで錐揉み状に掘削を行うが、かかる掘削時に掘削ヘッド５ａよりセメントミルク等の固結液を吐出させて、土中において原位置土と混合して先行エレメントのソイルセメント壁体を造成する。
【００３５】
本考案は前記のような多軸掘削機に使用する掘削軸５として、図４、図５に示すように連続して設けるスクリュー羽根２３（スパイラルスクリュー）を設けるものである。
【００３６】
掘削軸５は上下端にカップラー雌継手２０、カップラー雄継手２１を形成してあり、上端は油圧モータおよび減速機からなる駆動機構の駆動軸に、下端は掘削ヘッドに接続する。
【００３７】
本考案は、掘削軸５の途中に曲がり防止装置１７としての円筒体ガイド１６を設けるのに、円筒体ガイド１６は連続するスクリュー羽根２３の途中に設けるものであり、スクリュー羽根２３がこの円筒体ガイド１６を貫通するようにした。
【００３８】
円筒体ガイド１６は連続するスクリュー羽根２３の半旋回ピッチ分の高さ幅であり、円筒体ガイド１６の内周面にスクリュー羽根２３の外周縁を溶接する。
【００３９】
その結果、円筒体ガイド１６の内方で、スクリュー羽根２３が位置しない部分は上下方向に抜ける空間２５として確保される。
【００４０】
また、この上下方向に抜ける空間２３には円筒体ガイド１６の支持アームとして撹拌翼２４を設けた。
【００４１】
撹拌翼２４はスクリュー羽根２３の上昇旋回方向と同じ向きの傾きの横向き板体で、角度は１０度以内、望ましくは５、６度程度とする。
【００４２】
撹拌翼２４はスクリュー羽根２３の上方にスクリュー羽根２３の上面とは間隔を存して位置し、スクリュー羽根２３の上面で移送される掘削土砂の動きを阻止しないように配慮した。
【００４３】
掘削軸５は前記のごとく、多軸掘削機に使用するものであるが、例えば多軸掘削機が３軸の場合は外側の２本に曲がり防止装置１７を設けた掘削軸を使用し、中の掘削軸には本考案のような曲がり防止装置１７を設けないものを使用してもよい。
【００４４】
また、複数本の掘削軸５を上下に継ぎ足すこともできる。
【００４５】
次に作用について説明すると、掘削時には、複数本の掘削軸５が同時に回転し、円筒体ガイド１６の周壁が掘削孔の孔壁面に摺接しながら進行するので曲がりが阻止される。
【００４６】
各掘削軸５は隣接するものが相互に逆回転するが、円筒体ガイド１６で囲繞した曲がり防止装置１７により掘削軸５が曲がりなく進行することにより、複数本の掘削軸５の全体が回ることもなくなる。
【図面の簡単な説明】
【００４７】
【図１】本考案の曲がり防止装置を設けた多軸掘削機の掘削軸の正面図である。
【図２】本考案の多軸掘削機の掘削軸の曲がり防止装置の斜視図である。
【図３】従来例を示す正面図である。
【図４】多軸掘削機の正面図である。
【図５】多軸掘削機の側面図である。
【符号の説明】
【００４８】
１…ベースマシン                      ２…リーダーマスト
３…トップシーブ                      ４…駆動機構
５…掘削軸                            ５ａ…掘削ヘッド
５ｂ…スクリュー羽根                  ５ｃ…撹拌羽根
５ｄ…連続スクリュー羽根              ５ｅ…撹拌羽根
６…湾曲ブラケット                    ７…リーダー
８…振れ止め                          ９…結束バンド
１６…円筒体ガイド                    １７…曲がり防止装置
１８…攪拌羽根                        １９…スクリュー羽根
２０…カップラー雌継手                ２１…カップラー雄継手
２２…軸受けカラー                    ２３…スクリュー羽根
２４…撹拌翼                          ２５…上下方向に抜ける空間
【図１】
0003199765.tif 000003
【図２】
0003199765.tif 000004
【図３】
0003199765.tif 000005
【図４】
0003199765.tif 000006
【図５】
0003199765.tif 000007